(57)【特許請求の範囲】
【請求項１】
視野計の背景の範囲として、予定の検査箇所で被験者に与えられる、人間の目による視野を測定するための刺激を提供する装置であり、
前記刺激は、閾値を決定するため変えることができる、少なくとも二個の視覚特性を有し、及び
前記刺激は、波によって生成され、該波は中心から周辺に向かって同軸的に拡がることを特徴とする刺激装置。
【請求項２】
前記刺激が正弦波によって生成されることを特徴とする請求項１に記載の刺激装置。
【請求項３】
前記正弦波が中心から周辺に向かって同軸的に拡がることを特徴とする請求項２に記載の刺激装置。
【請求項４】
全輝度が必ず背景（２）の輝度に等しいことを特徴とする請求項１から３のいずれか一項に記載の刺激装置。
【請求項５】
前記刺激が環状をした波形の山（４）及び波形の谷（５）を有し、周辺に向かってその振幅がより小さくなることを特徴とする請求項１から４いずれか一項に記載の刺激装置。
【請求項６】
一方の視覚特性が、コントラストであり、他方の視覚特性が、解像力であることを特徴とする請求項１から５のいずれか一項に記載の刺激装置。
【請求項７】
前記波形の山（４）及び波形の谷（５）が動き且つ、運動速度が変化することが可能であることを特徴とする請求項１から６のいずれか一項に記載の刺激装置。
【請求項８】
前記波形の山（４）及び波形の谷（５）が、中心（３）から放射状外向きに移動することを特徴とする請求項７に記載の刺激装置。
【請求項９】
被験者の予定検査位置に、刺激（１）を配置して、人の目の視野を測定する方法であり、
前記刺激が少なくとも２つの視覚特性を有し、それらの特性が閾値の決定のための検査中に変動し、
前記刺激が波によって生成され、及びそれらの波が中心から周辺に同軸的拡がることを特徴とする人間の目による視野を測定する方法。
【請求項１０】
前記刺激（１）が、異なる前記領域（４、５）において異なるコントラストを与えることを特徴とする請求項９に記載の方法。
【請求項１１】
前記刺激（１）が、異なる前記領域（４、５）において異なる解像力を与えることを特徴とする請求項９または１０に記載の方法。
【発明の詳細な説明】
【０００１】
【発明が属する技術分野】
本発明は人間の視野を測定する刺激に関するものであり、それは被験者に視野計の背景の領域として、与えられる。
【０００２】
【従来の技術】
刺激は、視野測定方法において、特に発病を早期発見するため、またその様な発病の変化を監視するために使用される。刺激は、比較的短時間で視野の予定の位置で被験者に与えられる。既知の刺激は、視野計の面上で短時間輝く光点である。輝度を変化させることによって、閾値が決定される。刺激は、これに加えて異なる光強度で与えられ、刺激を知覚すると、被験者が応答ボタンを操作しなければならない。予定の検査箇所では、より高い強度またより弱い強度の刺激は、感度の閾値（Empfindlichkeitsschwelle）を一回または数回以上、与えられる。閾値として、刺激度が（デシベルで）示され、それは一定の数値の供給に関して、供給の50％の間で示される。既知の刺激の場合、単に輝度を変えるだけである。
【０００３】
有利な測定テスト方法は、緑内障を早期発見するために作用する。実際、その場合は、巨大細胞状の組織の選択的な識別方法である。その様な細胞による識別は、緑内障の予知が可能である。巨大細胞状のシステムは、直径の大きな組織を備え、それは。パルボ細胞状（parvozellularen）のシステムに属する、小さな直径の組織よりも早く老朽化する。これまで知られている刺激では、巨大細胞状のシステムが、困難で且つ非常に時間の浪費があることは明らかである。しかし説明した様に、それらは緑内障の予知に関して、最も好ましい。
【０００４】
【発明が解決しようとする課題】
本発明の目的は、特に緑内障を予知する刺激及び方法を提供して、確実で早い検査方法を実現することである。
【０００５】
【課題を解決するための手段】
その目的は、この種に関する刺激の場合、閾値を決定するため変えることが可能な、少なくとも二個の特性を備えることによって解決される。本発明による刺激によって、一つの検査方法が可能になり、それによって刺激を、検査箇所から別の検査箇所へ、関連する二つの特性に関して、変えることができる。それら両方の特性は特に、コントラストと解像力である。二個の特性を変えることによって、巨大細胞状の組織の確実で早い識別を選択的にできる。
【０００６】
【本発明の実施の形態】
前記刺激は、本発明による別の形態に関して、正弦波によって形成される。それらの波長は、好ましくは波形の谷と波形の山を形成し、それらは中心から放射状外向きに移動する。その様な刺激は外見上、液滴がそれら表面上に当たった後の、液体の表面と同様である。周辺に対し外向きの放射は、波長の増幅がより小さくなり、背景に近づく。その様な刺激の場合、簡単な方法で精密に変えられる、両方の特性は、振幅及び、波形の谷または波形の山の間の間隔である。しかし波形も、より早くまたはより遅く、外向きに動かすことができる。また最終的に、色彩の変化が可能である。その次の刺激は、それによって特にそれらとのコントラスト及び（または）解像力により、区別できる。従って別の刺激を配置する際、コントラストまたは解像力を変えることができる。もちろんコントラスト及び解像力を同時に変えることも可能である。異なる細胞状のシステムは、その様な変化に対して異なる反応を示す。本発明による刺激によって、その様な異なる作用を鑑別することができる。
【０００７】
本発明による方法は、刺激を検査の間、この視覚的特性に関して、変えられることを特徴とする。またその方法は、一方の検査箇所から他方の検査箇所へ、刺激を、一つの特性に関して変えるだけでなく、二つの特性に関しても変えられることを基本としている。それらの特性は有利には、コントラスト及び解像力である。他の特性は移動の速さ、例えば速度であり、それによって波形を中心から放射状外向きに動かす。また一実施形態を考えると、刺激が二個以上の特性を顧慮して、変えられる。一定の輝度の場合、閾値を決定するため、コントラスト及び（または）解像力及び（または）移動速度を変えることができる。
【０００８】
【実施例】
本発明による実施例を参照図面を参照して以下で詳しく説明する。
【０００９】
図１及び図２に示されている刺激１は、既知の視野計に関して、予定の検査箇所で、被験者に与えられる。その様な方法は、専門家に広く知られている。
【００１０】
刺激１は、例えば映像面に現れる背景２の範囲を形成している。それは、中心３に集中している、環状をした波形の山４と波形の谷５から成っている。波形の山４は、背景２よりも暗く示されており、波形５は背景２よりも明るい。波形の山４から波形の谷５への移行部分は、有利には図２に示されたように正弦形である。波形の山４と波形の谷５は、中心３から放射状外向きに、水の表面上に当たった液適により発生する場合の波の様に広がっている。振幅は、図２に示されたように、中心３において最大であり、周辺部に向かって減少している。輝度は、周辺部で背景に移行する。この背景２は、有利には均質に照らし出される。
【００１１】
配置中、刺激１の特性が有利には一定にされる。それによって刺激１は、一定の輝度と一定のコントラストと一定の解像力を備えている。しかし解像力が、表示中、少なくともその特性の一個が変えられることも考えられる。例えば、刺激１を与えている間、コントラストが変えられる。有利には、これらの特性が与えられる間でなくとも、一方の刺激から次のものへ変えられる。図３は一例であり、検査中の互いに配置した刺激0〜35を多数別々に示しており、それらはコントラスト及び（または）解像力に関して区別されている。刺激は、100％の最大コントラストと、高い解像力を備えている。その様な刺激1は、視覚的に良好に識別可能である。波形の山４は、その様な刺激の場合、中心において本質的に黒であり、波形の谷５は白である。別の検査箇所で与えられる次の刺激1は、コントラストがより小さく、ここでは89％である。立体解像力は、刺激0と同様である。刺激2もまた小さなコントラストを有する。次の刺激3は単に、刺激2とは同じコントラストであり、解像力の高さによって区別している。ゆえに検査において、コントラスト及び解像力が、徐々に変えられて、最終的に非常にコントラストが小さく且つ、解像力が高い、刺激35を配置することができる。数値は通常デシベルで与えられる。
【００１２】
波形の山４及び波形の谷５によって形成された環が、有利には円形である。しかしこの環は、他の形状でもよく、例えば多角形または楕円形にもできる。同様に、環または波形の山４及び波形の谷５の数を、様々にできる。しかし有利には、より多くの波形の山４及び波形の谷５を意図する。
【００１３】
刺激１の総体的な輝度は、有利には背景２の輝度と同等である。このことは例えば図２の描写から、すぐに分かる。コントラストまたは輝度あるいは運動速度を変えても、またこの全輝度は維持される。コントラストが高くなると、それによって、波形の山４が暗くなり、波形の谷５が明るくなる。しかし背景２の輝度よりも、全輝度が少なくても多くても、原理的にこの方法は、可能である。ゆえに例えば、次の刺激が、単に波形の谷５の輝度によって、区別する方法を考えることができ、それによって背景２の輝度が一定に保つ。刺激１の全輝度は、ゆえに背景２の輝度から、区別することができる。刺激１の本質的な特性は、ゆえに少なくとも二個の特性に関する、その変化の可能性である。閾値は従って単に輝度だけを顧慮するだけではなく、また特にコントラスト及び解像力を顧慮し、且つ運動速度を顧慮して、算出される。それによって閾値は、例えばコントラスト及び解像力の変化によって、算出することができる。
【図面の簡単な説明】
【図１】本発明による刺激の概略図
【図２】刺激の波形構造体の概略図
【図３】コントラスト及び立体解像力に関して異なった数個の刺激の表
【符号の説明】
１  刺激
２  背景
３  中心
４  波形の山
５  波形の谷
【図１】
0004845282.tif 000002
【図２】
0004845282.tif 000003
【図３】
0004845282.tif 000004